【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
他の無線端末と通信する無線端末であって、
前記他の無線端末に送信すべきデータフレームの振り分け処理を行うフレーム振り分け部と、
入力されたデータフレームにシーケンス番号を付与する第１のシーケンス番号付与手段を有し、前記シーケンス番号が付与された前記データフレームを前記他の無線端末に第１チャネルまたは第１モードで送信する第１の通信部と、
入力されたデータフレームにシーケンス番号を付与する第２のシーケンス番号付与手段を有し、前記第２のシーケンス番号付与手段によりシーケンス番号が付与された前記データフレームを前記他の無線端末に第２チャネルまたは第２モードで送信する第２の通信部と、を備え、
前記フレーム振り分け部は、前記第１および第２の通信部のうち一方にデータフレームを入力し、
前記他の無線端末へのデータフレーム送信を前記一方の通信部から他方の通信部へ変更する場合、前記一方の通信部に対応するチャネルまたはモードから前記他方の通信部に対応するチャネルまたはモードへ変更する旨の変更通知と、前記他方の通信部により送信開始するシーケンス番号である送信開始シーケンス番号を、前記他の無線端末に前記第１の通信部あるいは前記第２の通信部から送信し、前記一方の通信部は、前記一方の通信部に保持された前記他の無線端末宛ての少なくとも未送信のデータフレームを前記他方の通信部に入力し、前記フレーム振り分け部は、前記他の無線端末宛てのデータフレームの振り分け先を前記一方の通信部から前記他方の通信部へ切り替え、前記他方の通信部のシーケンス番号付与手段は、前記他方の通信部に入力された前記他の無線端末宛てのデータフレームに前記送信開始シーケンス番号から始まるシーケンス番号を付与し、
前記第１の通信部は、前記第１の通信部から送信した前記データフレームに付与した前記シーケンス番号と、前記第１の通信部から送信した前記データフレームに対する前記他の無線端末からの送達確認フレームに記載された受信シーケンス番号のステータスに基づき、前記第１の通信部から送信した前記データフレームの送達状況を管理して再送把握を行い、
前記第２の通信部は、前記第２の通信部から送信した前記データフレームに付与した前記シーケンス番号と、前記第２の通信部から送信した前記データフレームに対する前記他の無線端末からの送達確認フレームに記載された受信シーケンス番号のステータスに基づき、前記第２の通信部から送信した前記データフレームの送達状況を管理して再送把握を行う
ことを特徴とする無線端末。
【請求項２】
前記第１の通信部は前記第１のシーケンス番号付与手段によりシーケンス番号が付与されたデータフレームを一時的に記憶する第１の送信キューを備え、
前記第２の通信部は前記第２のシーケンス番号付与手段によりシーケンス番号が付与されたデータフレームを一時的に記憶する第２の送信キューを備え、
前記第１の通信部は、前記第１の送信キューから前記シーケンス番号が付与されたデータフレームを取り出して送信し、
前記第２の通信部は、前記第２の送信キューから前記シーケンス番号が付与されたデータフレームを取り出して送信し、
前記他の無線端末へのデータフレーム送信を前記一方の通信部から他方の通信部へ変更する場合、前記一方の通信部は前記未送信のデータフレームに加え、前記一方の通信部により前記他の無線端末へ送信済みでかつまだ送達確認がとれていないデータフレームのうち、前記未送信のデータフレームの最小シーケンス番号未満で前記未送信のデータフレームの最小シーケンス番号から連続するデータフレームを前記送信キューから取り出して前記他方の通信部に入力する
ことを特徴とする請求項１に記載の無線端末。
【請求項３】
前記変更通知に、前記他方の通信部に対応する変更先のチャネルまたはモードの情報を含める
ことを特徴とする請求項１に記載の無線端末。
【請求項４】
前記変更通知に、前記一方の通信部に対応する変更元のチャネルまたはモードの情報を含める
ことを特徴とする請求項１に記載の無線端末。
【請求項５】
前記第１および第２の通信部に共通のリオーダリングバッファをさらに備え、
前記第１の通信部は、前記他の無線端末から前記シーケンス番号の付与されたデータフレームを前記第１チャネルまたは第１モードを介して受信し、
前記第２の通信部は、前記他の無線端末から前記シーケンス番号の付与されたデータフレームを前記第２チャネルまたは第２モードを介して受信し、
前記リオーダリングバッファは、データフレーム待ちの最小シーケンス番号を管理し、前記第１および第２の通信部により受信されたデータフレームをシーケンス番号順に並べて保持し、前記最小シーケンス番号に合致するデータフレームを出力するとともに前記最小シーケンス番号をインクリメントし、
前記第１の通信部あるいは前記第２の通信部は、前記他の無線端末から送信される、前記送信開始シーケンス番号と前記変更通知を受信し、
前記リオーダリングバッファは、前記変更通知の受信に応じて、内部のデータフレームをすべて出力し、前記データフレーム待ちの最小シーケンス番号を、前記送信開始シーケンス番号と同じ値に設定する
ことを特徴とする請求項１に記載の無線端末。
【請求項６】
前記第１の通信部は、前記他の無線端末から受信したデータフレームの受信ステータスを前記データフレームのシーケンス番号に基づき記憶する第１の受信ステータス記憶部を備え、
前記第２の通信部は、前記他の無線端末から受信したデータフレームの受信ステータスを前記データフレームのシーケンス番号に基づき記憶する第２の受信ステータス記憶部を備え、
前記変更通知が受信されたとき、前記第１および第２の通信部のうち前記変更通知に基づき特定される変更元チャネルまたは変更元モードに対応する通信部の前記受信ステータス記憶部をリセットする
ことを特徴とする請求項５に記載の無線端末。
【請求項７】
前記他の無線端末からの前記変更通知には、変更先のチャネルまたはモードの情報が含まれ、
前記変更通知に示されるチャネルまたはモードの排他チャネルまたは排他モードを前記変更元チャネルまたは変更元モードとして決定する
ことを特徴とする請求項６に記載の無線端末。
【請求項８】
前記他の無線端末からの前記変更通知には、変更元のチャネルまたはモードの情報が含まれ、
前記変更通知に示されるチャネルまたはモードを前記変更元のチャネルまたはモードとして決定する
ことを特徴とする請求項６に記載の無線端末。
【請求項９】
前記第１および第２の通信部はそれぞれ個別に第１および第２の個別リオーダリングバッファを備え、
前記第１の通信部は、前記他の無線端末から前記シーケンス番号の付与されたデータフレームを前記第１チャネルまたは第１モードを介して受信し、
前記第２の通信部は、前記他の無線端末から前記シーケンス番号の付与されたデータフレームを前記第２チャネルまたは第２モードを介して受信し、
前記第１の個別リオーダリングバッファは、データフレーム待ちの最小シーケンス番号を管理し、前記第１の通信部により受信されたデータフレームをシーケンス番号順に並べて保持し、前記最小シーケンス番号に合致するデータフレームを出力するとともに前記最小シーケンス番号をインクリメントし、
前記第２の個別リオーダリングバッファは、データフレーム待ちの最小シーケンス番号を管理し、前記第２の通信部により受信されたデータフレームをシーケンス番号順に並べて保持し、前記最小シーケンス番号に合致するデータフレームを出力するとともに前記最小シーケンス番号をインクリメントし、
前記第１の通信部あるいは前記第２の通信部は、前記他の無線端末から送信される、前記送信開始シーケンス番号と前記変更通知を受信し、
前記変更通知に基づき特定される変更元チャネルまたは変更元モードに対応する通信部の個別リオーダリングバッファは、内部のデータフレームをすべて出力し、
前記変更通知に基づき特定される変更先チャネルまたは変更先モードに対応する通信部の個別リオーダリングバッファにおける前記データフレーム待ちの最小シーケンス番号を、前記送信開始シーケンス番号と同じ値に設定する
ことを特徴とする請求項１に記載の無線端末。
【請求項１０】
他の無線端末と通信する無線端末であって、
前記他の無線端末に送信すべきデータフレームにシーケンス番号を付与するシーケンス番号付与手段と、
前記シーケンス番号の付与されたデータフレームの振り分け処理を行うフレーム振り分け部と、
入力されたデータフレームを前記他の無線端末に第１チャネルまたは第１モードで送信する第１の通信部と、
入力されたデータフレームを前記他の無線端末に第２チャネルまたは第２モードで送信する第２の通信部と、を備え、
前記フレーム振り分け部は、前記第１および第２の通信部のうち一方にデータフレームを入力し、
前記他の無線端末へのデータフレーム送信を前記一方の通信部から他方の通信部へ変更する場合、前記一方の通信部に対応するチャネルまたはモードから前記他方の通信部に対応するチャネルまたはモードへ変更する旨の変更通知と、前記他方の通信部により送信開始するシーケンス番号である送信開始シーケンス番号を、前記他の無線端末に前記第１の通信部あるいは前記第２の通信部から送信し、前記一方の通信部に保持された前記他の無線端末宛てで送達確認がとれていないデータフレームを前記他方の通信部に入力し、前記フレーム振り分け部は、前記データフレームの振り分け先を前記一方の通信部から前記他方の通信部へ切り替え、
前記第１の通信部は、前記第１の通信部から送信した前記データフレームに付与した前記シーケンス番号と、前記第１の通信部から送信した前記データフレームに対する前記他の無線端末からの送達確認フレームに記載された受信シーケンス番号のステータスに基づき、前記第１の通信部から送信した前記データフレームの送達状況を管理して再送把握を行い、
前記第２の通信部は、前記第２の通信部から送信した前記データフレームに付与した前記シーケンス番号と、前記第２の通信部から送信した前記データフレームに対する前記他の無線端末からの送達確認フレームに記載された受信シーケンス番号のステータスに基づき、前記第２の通信部から送信した前記データフレームの送達状況を管理して再送把握を行い、
前記他方の通信部に入力された前記他の無線端末宛てのデータフレームの最小シーケンス番号を前記送信開始シーケンス番号とする
ことを特徴とする無線端末。
【請求項１１】
前記第１および第２の通信部に共通のリオーダリングバッファをさらに備え、
前記第１の通信部は、前記他の無線端末から前記シーケンス番号の付与されたデータフレームを前記第１チャネルまたは第１モードを介して受信し、
前記第２の通信部は、前記他の無線端末から前記シーケンス番号の付与されたデータフレームを前記第２チャネルまたは第２モードを介して受信し、
前記リオーダリングバッファは、データフレーム待ちの最小シーケンス番号を管理し、前記第１および第２の通信部により受信されたデータフレームをシーケンス番号順に並べて保持し、前記最小シーケンス番号に合致するデータフレームを出力するとともに前記最小シーケンス番号をインクリメントし、
前記第１の通信部あるいは前記第２の通信部は、前記他の無線端末から送信される、前記送信開始シーケンス番号と前記変更通知を受信し、
前記リオーダリングバッファは、前記変更通知の受信に応じて、内部のデータフレームをすべて出力し、前記データフレーム待ちの最小シーケンス番号を、前記送信開始シーケンス番号と同じ値に設定する
ことを特徴とする請求項１０に記載の無線端末。
【請求項１２】
前記第１の通信部は、前記他の無線端末から受信したデータフレームの受信ステータスを前記データフレームのシーケンス番号に基づき記憶する第１の受信ステータス記憶部を備え、
前記第２の通信部は、前記他の無線端末から受信したデータフレームの受信ステータスを前記データフレームのシーケンス番号に基づき記憶する第２の受信ステータス記憶部を備え、
前記変更通知が受信されたとき、前記第１および第２の通信部のうち前記変更通知に基づき特定される変更元チャネルまたは変更元モードに対応する通信部の前記受信ステータス記憶部をリセットする
ことを特徴とする請求項１１に記載の無線端末。
【請求項１３】
前記第１および第２の通信部に共通のリオーダリングバッファをさらに備え、
前記第１および第２の通信部はそれぞれ個別に第１および第２の個別リオーダリングバッファを備え、
前記第１の通信部は、前記他の無線端末から前記シーケンス番号の付与されたデータフレームを前記第１チャネルまたは第１モードを介して受信し、
前記第２の通信部は、前記他の無線端末から前記シーケンス番号の付与されたデータフレームを前記第２チャネルまたは第２モードを介して受信し、
前記第１の個別リオーダリングバッファは、データフレーム待ちの最小シーケンス番号を管理し、前記第１の通信部により受信されたフレームをシーケンス番号順に並べて保持し、前記最小シーケンス番号に合致するデータフレームを前記共通のリオーダリングバッファに渡すとともに前記最小シーケンス番号をインクリメントし、
前記第２の個別リオーダリングバッファは、データフレーム待ちの最小シーケンス番号を管理し、前記第２の通信部により受信されたデータフレームをシーケンス番号順に並べて保持し、前記最小シーケンス番号に合致する前記データフレームを前記共通のリオーダリングバッファに渡すとともに前記最小シーケンス番号をインクリメントし、
前記共通のリオーダリングバッファは、データフレーム待ちの最小シーケンス番号を管理し、前記第１および第２の個別リオーダリングバッファから渡されたデータフレームをシーケンス番号順に並べて保持し、前記最小シーケンス番号に合致するデータフレームを出力するとともに前記最小シーケンス番号をインクリメントし、
前記第１の通信部あるいは前記第２の通信部は、前記他の無線端末から送信される、前記送信開始シーケンス番号と前記変更通知を受信し、
前記変更通知に基づいて特定される変更元のチャネルまたはモードに対応する通信部の個別リオーダリングバッファにおける前記送信開始シーケンス番号以上のシーケンス番号のデータフレームである第１のデータフレームをすべて前記共通のリオーダリングバッファに渡し、
前記変更通知に基づいて特定される変更先のチャネルまたはモードに対応する通信部における個別リオーダリングバッファの最小シーケンス番号を、前記送信開始シーケンス番号と同じ値に設定し、
前記共通のリオーダリングバッファから前記第１のデータフレームが出力されたことにより前記共通のリオーダリングバッファの最小シーケンス番号が更新されたとき、前記変更先のチャネルまたはモードに対応する通信部の個別リオーダリングバッファの最小シーケンス番号を、更新後の最小シーケンス番号と同じ値に設定する
ことを特徴とする請求項１０に記載の無線端末。
【請求項１４】
前記第１および第２の通信部はそれぞれ個別に第１および第２の個別リオーダリングバッファを備え、
前記第１の通信部は、前記他の無線端末から前記シーケンス番号の付与されたデータフレームを前記第１チャネルまたは第１モードを介して受信し、
前記第２の通信部は、前記他の無線端末から前記シーケンス番号の付与されたデータフレームを前記第２チャネルまたは第２モードを介して受信し、
前記第１の個別リオーダリングバッファは、データフレーム待ちの最小シーケンス番号を管理し、前記第１の通信部により受信されたデータフレームをシーケンス番号順に並べて保持し、前記最小シーケンス番号に合致するデータフレームを出力するとともに前記最小シーケンス番号をインクリメントし、
前記第２の個別リオーダリングバッファは、データフレーム待ちの最小シーケンス番号を管理し、前記第２の通信部により受信されたデータフレームをシーケンス番号順に並べて保持し、前記最小シーケンス番号に合致する前記データフレームを出力するとともに前記最小シーケンス番号をインクリメントし、
前記第１の通信部あるいは前記第２の通信部は、前記他の無線端末から送信される、前記送信開始シーケンス番号と前記変更通知を受信し、
前記変更通知に基づき特定される変更元のチャネルまたはモードに対応する通信部の個別リオーダリングバッファから前記送信開始シーケンス番号より大きいデータフレームを、前記変更通知に基づき特定される変更先のチャネルまたはモードに対応する通信部の個別リオーダリングバッファに移動し、
前記変更先のチャネルまたはモードに対応する個別リオーダリングバッファの前記最小シーケンス番号を、前記送信開始シーケンス番号と同じ値に設定する
ことを特徴とする請求項１０に記載の無線端末。
【請求項１５】
前記第１チャネルまたは第１モードの周波数帯は、３０ＧＨｚ以上３００ＧＨｚ未満であり、
前記第２チャネルまたは第２モードの周波数帯は、３００ＭＨｚ以上３０ＧＨｚ未満である
ことを特徴とする請求項１ないし１４のいずれか一項に記載の無線端末。
【請求項１６】
前記変更通知は第２チャネルまたは第２モードで送信される
ことを特徴とする請求項１５に記載の無線端末。
【請求項１７】
前記第１チャネルと前記第２チャネルは同一周波数帯の異なるチャネルである
ことを特徴とする請求項１ないし１０のいずれか一項に記載の無線端末。
【請求項１８】
第１のアンテナを備え、前記第１の通信部および前記第２の通信部ともに、前記第１のアンテナを介して通信する
ことを特徴とする請求項１７に記載の無線端末。
【請求項１９】
第１のアンテナと、
第２のアンテナをさらに備え、
前記第１の通信部は、前記第１のアンテナを介して前記他の無線端末と通信し、
前記第２の通信部は、前記第２のアンテナを介して前記他の無線端末と通信する
ことを特徴とする請求項１ないし１０のいずれか一項に記載の無線端末。
【請求項２０】
第１チャネルまたは第１モードにより通信を行う第１の通信部と、第２チャネルまたは第２モードにより通信を行う第２の通信部とを用いて他の無線端末と無線通信を行う無線通信方法であって、
前記他の無線端末に送信すべきデータフレームを前記第１および第２の通信部のうち一方に入力するフレーム振り分けステップと、
前記第１の通信部に入力されたデータフレームにシーケンス番号を付与して、前記他の無線端末に前記第１チャネルまたは第１モードで送信する第１の送信ステップと、
前記第２の通信部に入力されたデータフレームにシーケンス番号を付与して、前記他の無線端末に前記第２チャネルまたは第２モードで送信する第２の送信ステップと、
前記他の無線端末へのデータフレーム送信を前記一方の通信部から他方の通信部へ変更する場合、前記一方の通信部に対応するチャネルまたはモードから前記他方の通信部に対応するチャネルまたはモードへ変更する旨の変更通知と、前記他方の通信部により送信開始するシーケンス番号である送信開始シーケンス番号を、前記他の無線端末に前記第１の通信部あるいは前記第２の通信部から送信する変更通知ステップと、
前記他の無線端末へのデータフレーム送信を前記一方の通信部から前記他方の通信部へ変更する場合、前記一方の通信部に保持された前記他の無線端末宛ての少なくとも未送信のデータフレームを前記他方の通信部に入力するフレーム移動ステップと、
前記他の無線端末へのデータフレーム送信を前記一方の通信部から前記他方の通信部へ変更する場合、前記データフレームの振り分け先を前記一方の通信部から前記他方の通信部へ切り替える切り替えステップと、
前記他の無線端末へのデータフレーム送信を前記一方の通信部から前記他方の通信部へ変更する場合、前記他方の通信部に入力された前記他の無線端末宛てのデータフレームに前記送信開始シーケンス番号から始まるシーケンス番号を付与する通信部変更対応シーケンス付与ステップと、
前記第１の通信部から送信した前記データフレームに付与した前記シーケンス番号と、前記第１の通信部から送信した前記データフレームに対する前記他の無線端末からの送達確認フレームに記載された受信シーケンス番号のステータスに基づき、前記第１の通信部から送信した前記データフレームの送達状況を管理して再送把握を行うステップと、
前記第２の通信部から送信した前記データフレームに付与した前記シーケンス番号と、前記第２の通信部から送信した前記データフレームに対する前記他の無線端末からの送達確認フレームに記載された受信シーケンス番号のステータスに基づき、前記第２の通信部から送信した前記データフレームの送達状況を管理して再送把握を行うステップと、
を備えたことを特徴とする無線通信方法。  
【請求項２１】
第１チャネルまたは第１モードにより通信を行う第１の通信部と、第２チャネルまたは第２モードにより通信を行う第２の通信部とを用いて他の無線端末と無線通信を行う無線通信方法であって、
前記他の無線端末に送信すべきデータフレームにシーケンス番号を付与するシーケンス番号付与ステップと、
前記シーケンス番号の付与されたデータフレームを前記第１および第２の通信部のうち一方に入力するフレーム振り分けステップと、
前記第１の通信部に入力されたデータフレームを前記他の無線端末に前記第１チャネルまたは第１モードで送信する第１の送信ステップと、
前記第２の通信部に入力されたデータフレームを前記他の無線端末に前記第２チャネルまたは第２モードで送信する第２の送信ステップと、
前記他の無線端末へのデータフレーム送信を前記一方の通信部から他方の通信部へ変更する場合、前記一方の通信部に対応するチャネルまたはモードから前記他方の通信部に対応するチャネルまたはモードへ変更する旨の変更通知と、前記他方の通信部により送信開始するシーケンス番号である送信開始シーケンス番号を、前記他の無線端末に前記第１の通信部あるいは前記第２の通信部から送信する変更通知ステップと、
前記他の無線端末へのデータフレーム送信を前記一方の通信部から他方の通信部へ変更する場合、前記一方の通信部に保持された前記他の無線端末宛てで送達確認がとれていないデータフレームを前記他方の通信部に入力し、前記データフレームの振り分け先を前記一方の通信部から前記他方の通信部へ切り替えるステップと、
前記第１の通信部から送信した前記データフレームに付与した前記シーケンス番号と、前記第１の通信部から送信した前記データフレームに対する前記他の無線端末からの送達確認フレームに記載された受信シーケンス番号のステータスに基づき、前記第１の通信部から送信した前記データフレームの送達状況を管理して再送把握を行うステップと、
前記第２の通信部から送信した前記データフレームに付与した前記シーケンス番号と、前記第２の通信部から送信した前記データフレームに対する前記他の無線端末からの送達確認フレームに記載された受信シーケンス番号のステータスに基づき、前記第２の通信部から送信した前記データフレームの送達状況を管理して再送把握を行うステップと、
前記他方の通信部に入力された前記他の無線端末宛てのデータフレームの最小シーケンス番号を前記送信開始シーケンス番号とするステップと
を備えたことを特徴とする無線通信方法。